(57)【特許請求の範囲】
【請求項１】
背面にスピーカーを備えるスマートフォンを収納するスマートフォン収納ケースであって、
前記スマートフォンの全体を覆って収納可能な略直方体の外形状を成し、
当該収納ケースが備える６つの面のうち、前記スマートフォンが備える表示装置に向かい合う正面及び前記スマートフォンを当該収納ケースの内部へ挿入する一側面が開口部を形成し、
前記スマートフォンを当該収納ケースの内部へ挿入したとき、前記スマートフォンの背面と当該収納ケースの背面内側との間に所定高さの空間を設けるために、前記背面内側に配置される突起した部位である第１突起部と、
前記スマートフォンを挿入途中の所定位置に固定するために前記背面内側に配置される突起した部位である第２突起部と、を有し、
前記所定位置とは、前記スマートフォンの備える前記スピーカーが前記第２突起部よりも挿入方向奥側に配置される位置であり、
前記スマートフォンを前記所定位置まで挿入すると共に、前記スマートフォンに音声再生させ、前記スマートフォンが未挿入である前記正面の開口部から前記音声を前記正面方向へ出力するスピーカーとして使用することを特徴とするスマートフォン収納ケース。
【請求項２】
前記第１突起部が、前記背面内側と上面内側との接続部位及び前記背面内側と底面内側との接続部位それぞれに沿って設けられることを特徴とする請求項１に記載のスマートフォン収納ケース。
【請求項３】
前記第２突起部が、前記スマートフォンの挿入口である前記一側面の開口部から挿入方向奥側に向かって徐々に高くなるスロープ形状を成していることを特徴とする請求項１又は２に記載のスマートフォン収納ケース。
【請求項４】
前記第２突起部が、前記スマートフォンの背面と当接し、当接した位置において、前記スマートフォンの背面と前記背面内側との間にできる前記空間を挿入方向の奥側と手前側とで隔てるように配置されることを特徴とする請求項１乃至３の何れか一に記載のスマートフォン収納ケース。
【請求項５】
背面外側において取出し・収納が自在な形態の、前記スマートフォンを収納した当該収納ケースを自立させるための支えであるスタンドを有する請求項１乃至４の何れか一に記載のスマートフォン収納ケース。
【請求項６】
請求項１乃至５の何れか一に記載の前記スマートフォン収納ケースと、前記スマートフォンと、を含む音声再生システム。
【発明の詳細な説明】
【技術分野】
【０００１】
多機能型携帯電話であるスマートフォンを収納する容器の技術に関する。
【背景技術】
【０００２】
近年、多機能型携帯電話であるスマートフォンを利用して、動画再生（音声再生含む）やテレビ視聴を行う機会が増えてきている。
【０００３】
一方、スマートフォンの中には、音声を発するスピーカーが表示装置の後ろ側である背面に備え付けられている機種がある。このようなスマートフォンで、ヘッドホン等を使用せずに動画再生やテレビ視聴を行う場合、ユーザーは、一旦背面側に発せられた音声が回折したものを耳にすることとなり、耳に入る音声の音量が小さかったり聞き辛かったりするという問題が生じる。
【０００４】
一方で、携帯電話やスマートフォンを収納する容器については種々の研修・開発の成果が報告されているが、その中でも特許文献１では、携帯電話ケース等に呼び出し音拡大器を組み込んだ携帯電話ケース及び袋に関する提案がなされている。
【先行技術文献】
【特許文献】
【０００５】
【特許文献１】実用新案登録第３０６１１５３号公報
【発明の概要】
【発明が解決しようとする課題】
【０００６】
しかしながら、音声を発するスピーカーが表示装置の後ろ側である背面に備え付けられているスマートフォンにおいて、ヘッドホン等を使用せずに動画再生やテレビ視聴を行う場合、ユーザーは、一旦背面側に発せられた音声が回折したものを耳にすることとなり、耳に入る音の音量が小さかったり聞き辛かったりするという問題は依然として解決されていない。
【０００７】
そこで本発明では、上記問題点に鑑み、特に、背面にスピーカーを配したスマートフォンを収納するためのものであり、ヘッドホン等を使用せずとも、快適に動画再生やテレビ視聴を行うことができるスマートフォン収納ケースを提供することを目的とする。
【課題を解決するための手段】
【０００８】
開示するスマートフォン収納ケースの一形態は、背面にスピーカーを備えるスマートフォンを収納するスマートフォン収納ケースであって、前記スマートフォンの全体を覆って収納可能な略直方体の外形状を成し、当該収納ケースが備える６つの面のうち、前記スマートフォンが備える表示装置に向かい合う正面及び前記スマートフォンを当該収納ケースの内部へ挿入する一側面が開口部を形成し、前記スマートフォンを当該収納ケースの内部へ挿入したとき、前記スマートフォンの背面と当該収納ケースの背面内側との間に所定高さの空間を設けるために、前記背面内側に配置される突起した部位である第１突起部と、前記スマートフォンを挿入途中の所定位置に固定するために前記背面内側に配置される突起した部位である第２突起部と、を有し、前記スマートフォンを前記所定位置まで挿入すると共に、前記スマートフォンに音声再生させ、前記スマートフォンが未挿入である前記正面の開口部から前記音声を前記正面方向へ出力するスピーカーとして使用することを特徴とする。
【発明の効果】
【０００９】
開示するスマートフォン収納ケースは、背面にスピーカーを配したスマートフォンを収納するためのものであり、ヘッドホン等を使用せずとも、快適に動画再生やテレビ視聴を行うことができる。
【図面の簡単な説明】
【００１０】
【図１】本実施の形態に係るスマートフォン収納ケースの使用形態を示す図（前方斜視図）である。
【図２】背面にスピーカーを配したスマートフォンの一例を示す図である。（ａ）前面図。（ｂ）背面図。
【図３】本実施の形態に係るスマートフォン収納ケースの構造を説明する図である。（ａ）先方斜視図。（ｂ）断面図。
【図４】本実施の形態に係るスマートフォン収納ケースの使用形態を示す図（後方斜視図）である。
【発明を実施するための形態】
【００１１】
図面を参照しながら、本発明を実施するための形態について説明する。
（本実施の形態に係るスマートフォン収納ケースの構造）
図１乃至４を用いて、本実施の形態に係るスマートフォン収納ケース（以下、単に「収納ケース」という。）１の構造について説明する。
【００１２】
図１で示すように、収納ケース１は、スマートフォン３０を収納するための収納容器である。収納ケース１は、収納容器の機能としてはどのような形態のスマートフォン３０を収納しても良いが、特に、図２（ｂ）で示すような背面３４にスピーカー３８を配したスマートフォン３０を収納する場合に特徴的な機能を発揮する。
【００１３】
収納ケース１の特徴的な機能とは、背面３４にスピーカー３８を配したスマートフォン３０を使用し、ヘッドホン等を利用せずに動画再生やテレビ視聴を行う場合、スマートフォン３０の表示装置３２と同一方向の前方へ音を出力させることである。そのため、ユーザーは、収納ケース１を利用すると、快適に動画再生やテレビ視聴を行うことができる。
【００１４】
図３で示すように、収納ケース１は、スマートフォン３０を最後（最も奥側）まで挿入すれば、スマートフォン３０の全体を覆って収納可能な収納容器である。収納ケース１は、略直方体の外形状を成している。そして収納ケース１は、大まかに言えば六つの面を有するが、その六面のうち、スマートフォン３０収納時に表示装置３２と向かい合う正面８、及び、スマートフォン３０の挿入・取出し操作を行う一方の側面１６が開口形状を成している。
図３で示すように、収納ケース１は、第１突起部２、第２突起部４、スタンド６を有する。
【００１５】
第１突起部２は、スマートフォン３０を収納ケース１の内部へ挿入（収納）したとき、背面３４と背面１０内側との間に隙間を設けるために、背面１０内側に設置される突起した部位である。収納ケース１は、スマートフォン３０の背面３４に配置されるスピーカー３８から出た音声を、背面３４と背面１０内側との間にできた隙間を通して表示装置３２と同一方向の前方へと音を出力させる構成である。
【００１６】
図３で示すように、第１突起部２は、収納ケース１の背面１０内側と上面１２内側との接続部位、及び、背面１０内側と底面１４内側との接続部位それぞれに沿って設けられる形態であっても良い。言い換えると、第１突起部２は、図３において収納ケース１の箱型形状の背面１０内側角部（上下両端部）に沿って設けられる段差（階段形状）であっても良い。このようにすることで、スマートフォン３０のスピーカー３８が背面３４のどの位置にあっても、第１突起部２がスピーカー３０を塞ぐことが無い。ただし、第１突起部２の設置位置は、図３で例示した形態に限られない。
【００１７】
第２突起部４は、スマートフォン３０を挿入途中の所定位置に固定する（留める）ための部位であって、収納ケース１の背面１０内側に配置される突起した部位である。図１で示すように、収納ケース１は、スマートフォン３０で動画再生やテレビ視聴などを行うとき、スマートフォン３０を収納ケース１の最奥位置まで挿入せず、途中の所定位置まで挿入した状態とする。そのため、収納ケース１は、スマートフォン３０の未挿入場所に収納ケース１の正面８の開口領域を残し、その状態にスマートフォン３０が留まることが重要である。なお第２突起部４は、スマートフォン３０の最奥位置までの挿入を規制するための手段ではないため、スマートフォン３０は、第２突起部４を乗り越え、さらに第２突起部４よりも奥の位置（挿入口２４と反対側の他方側面）まで挿入可能である。つまり、第２突起部４は、スマートフォン３０を所定位置よりも奥側に挿入し難くする機能を果たす。
【００１８】
図３で示すように、第２突起部４は、スマートフォン３０の背面３４と線状に当接することによって、第２突起部４とスマートフォン３０の当接位置において、背面３４と背面１０内側との間にできる空間２０を挿入方向の奥側と手前側とに隔てる役割を果たす。このようにすることで、スマートフォン３０のスピーカー３８から発せられた音声のエネルギーをスマートフォン３０の表示装置３２と同一方向にできるだけ振り向けることができ、ユーザーによる音声の聞き取り易さを向上させることができる。
【００１９】
また、図３（ｂ）で示すように、第２突起部４は、スマートフォン３０の挿入口２４から頂点部に向かって徐々に高くなっていくスロープ形状を成していても良い。こうすることで、スマートフォン３０を挿入口２４から背面１０に沿って挿入した場合、スマートフォン３０の先端部３６が頂点部に近付くにつれ、先端部３６と背面１０内側との摩擦によって適切な位置にスマートフォン３０を留めることができる。
なお、スマートフォン３０が第２突起部４によって固定される挿入途中の所定位置とは、スマートフォン３０の背面に備えるスピーカー３８が第２突起部４よりも挿入方向奥側に配置される位置である。これは、スピーカー３８から発せられた音を正面開口部２２へ導くためである。
【００２０】
スタンド６は、収納ケース１の背面１０外側に設置される、スマートフォン３０を内部に収納した収納ケース１を平面上に自立させるための支えとなる部位であり、取出して使用する状態、及び、背面１０外側と面一となるように収納した状態を自在に遷移させることができる。図４で示すように、スタンド６は、収納ケース１を平面上に自立させるとき、収納ケース１を背面１０外側において支える機能を果たし、未使用時は収納ケース１の背面１０内に収納することができる。
（本実施の形態に係るスマートフォン収納ケースの使用方法）
【００２１】
図１及び４を用いて、収納ケース１の使用方法について説明する。図１で示すように、ユーザーは、収納ケース１の一方の側面１６に備わる挿入口２４からスマートフォン３０を収納ケース１の内部へ挿入し、スマートフォン３０の先端３６が第２突起部４によって押し込み難くなるまで押し込む。
【００２２】
そのとき、スマートフォン３０は、収納ケース１の最も奥側の位置までは挿入されず、途中の所定位置まで挿入された状態となり、スマートフォン３０の未挿入場所（収納ケース１の奥側）に収納ケース１の正面８が形成する開口領域２２が残った状態となる。
【００２３】
ユーザーは、その状態でスマートフォン３０を操作し、スマートフォン３０で動画再生やテレビ視聴などを行うことができる状態にすると共に、収納ケース１の背面１０からスタンド６を取出し、机上など平面上に収納ケース１を自立させる。
ユーザーは、スマートフォン３０の表示装置３２に表示される映像を見ると共に、表示装置３２横の開口部２２から前方へ発せられる音を聴く。
【００２４】
このようにすることで、収納ケース１は、背面３４にスピーカー３８を配したスマートフォン３０を収納すると共に、ヘッドホン等を使用せずとも、快適に動画再生やテレビ視聴が可能な環境を提供する。
【００２５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２６】
１    スマートフォン収納ケース（収納ケース）
２    第１突起部
４    第２突起部
６    スタンド
８    収納ケース１の正面
１０  収納ケース１の背面
１２  収納ケース１の上面
１４  収納ケース１の底面
１６  収納ケース１の一方の側面
１８  収納ケース１の他方の側面
２０  背面３４と背面１０内側との間に形成される隙間空間
２２  正面８が形成する開口部
２４  一方の側面１６が形成する開口部（挿入口）
３０  スマートフォン
３２  スマートフォンが備える表示装置
３４  スマートフォンの背面
３６  スマートフォンの先端部
３８  背面３４に配置されるスピーカー
【要約】
【課題】
開示の収納ケースは、背面にスピーカーを配したスマートフォンを収納するためのものであり、ヘッドホン等を使用せずとも、快適に動画再生やテレビ視聴を行うことができる。
【解決手段】
開示の収納ケースは、スマートフォンの全体を覆って収納可能な略直方体の外形状を成し、当該収納ケースが備える６つの面のうち、スマートフォンが備える表示装置に向かい合う正面及び前記スマートフォンを当該収納ケースの内部へ挿入する一側面が開口部を形成し、スマートフォンを当該収納ケースの内部へ挿入したとき、スマートフォンの背面と当該収納ケースの内側裏面との間に隙間を設けるために、内側裏面に配置される突起した部位である第１突起部と、スマートフォンを挿入途中の所定位置に固定するために内側裏面に配置される突起した部位である第２突起部と、を有する。
【選択図】図１【図１】
0005643916.tif 000002
【図２】
0005643916.tif 000003
【図３】
0005643916.tif 000004
【図４】
0005643916.tif 000005